(57)【要約】【課題】アース用の導電部材を簡単に着脱できる取付部を備えた電子機器を提供する。【解決手段】一つの実施の形態に係る電子機器は、内面に第１導電部が設けられた壁部を有する筐体と、前記壁部に設けられ、前記筐体の外に開口された第１開口部と第２開口部と、を含む取付部と、前記筐体内側に突出された第１突出部と、前記第１開口部と前記第１突出部との間に位置して前記筐体内側に突出され、前記第１導電部に電気的に接続された第２導電部が設けられた第２突出部と、前記筐体外を通って前記取付部に取り付けられ、前記筐体外に露出された露出部と、前記第１開口部に挿入され前記第２突出部の前記第２の導電層に弾性的に当接された第１部分と、前記第２開口部に挿入された第２部分と、を有した弾性を有する導電部材と、を具備する。【選択図】    図３
2011138766.tif 000002
【特許請求の範囲】
【請求項１】
内面に第１導電部が設けられた壁部を有する筐体と、
前記壁部に設けられ、前記筐体の外に開口された第１開口部と第２開口部と、を含む取付部と、
前記筐体内側に突出された第１突出部と、
前記第１開口部と前記第１突出部との間に位置して前記筐体内側に突出され、前記第１導電部に電気的に接続された第２導電部が設けられた第２突出部と、
前記筐体外を通って前記取付部に取り付けられ、前記筐体外に露出された露出部と、前記第１開口部に挿入され前記第２突出部の前記第２の導電層に弾性的に当接された第１部分と、前記第２開口部に挿入された第２部分と、を有した弾性を有する導電部材と、
を具備したことを特徴とする電子機器。
【請求項２】
第１開口部と第２開口部とが設けられ、内面に第１導電部を有する筐体と、
第１開口部に挿入された第１部分と、第２開口部に挿入された第２部分と、前記第１部分と前記第２部分との間で筐体外に位置した第３部分と、を有した導電部材と、
前記筐体内側に突出し、前記第１部分が当接された第１突出部と、
前記第１の突出部とは異なる位置で前記筐体内部に突出され、前記第１導電部と電気的に接続された第２導電部を有し、前記第１部分が弾性的に当接された第２突出部と、
を具備したことを特徴とする電子機器。
【請求項３】
前記導電部材の前記第１部分は、孔部が設けられ、
前記筐体の内面には、前記孔部に挿通された突起を有していることを特徴とする請求項２に記載の電子機器。
【請求項４】
前記孔部は、前記導電部材の前記第１部分の長手方向に沿う長孔形状を有したことを特徴とする請求項３に記載の電子機器。
【請求項５】
前記導電部材の前記第１部分は、前記第２部分が延びる方向とは異なる方向に傾斜したことを特徴とする請求項２に記載の電子機器。
【請求項６】
前記導電部材の前記第１部分は、前記第１突出部に向かう先端部を有し、
前記先端部は、前記第１開口部から離れる方向に曲げられたことを特徴とする請求項２に記載の電子機器。
【請求項７】
前記第１突出部は、前記筐体の内部に向かった頂部を有し、
前記第１部分の先端部は、前記頂部と前記筐体の内面との間で前記第１突出部に当接したことを特徴とする請求項６に記載の電子機器。
【請求項８】
第１開口部と第２開口部とが設けられ、内面に導電部を有する筐体と、
第１開口部から前記筐体内に挿入された第１部分と、第２開口部から前記筐体内に挿入された第２部分と、前記第１部分と前記第１部分との間で筐体外に位置した第３部分とを有した導電部材と、
前記筐体内側に突出し、前記第１部分が弾性的に当接された導電性の突出部と、
を具備したことを特徴とする電子機器。
【請求項９】
前記導電部材の前記第１部分は、孔部が設けられ、
前記筐体の内面には、前記孔部に挿通された突起を有することを特徴とする請求項８に記載の電子機器。
【請求項１０】
前記導電部材の前記第１部分は、前記第２部分が延びる方向とは異なる方向に傾斜したことを特徴とする請求項８に記載の電子機器。
【発明の詳細な説明】
【技術分野】
【０００１】
本発明は、筐体外部に露出するアース用の導電部材を備えた電子機器に関する。
【背景技術】
【０００２】
ポータブルコンピュータのような電子機器は、ポートリプリケータやドッキングステーションのような機能拡張用の外部機器と接続されることがある。このような外部機器は、ポータブルコンピュータが乗せられる面から突出するアース用の電極を有している。ポータブルコンピュータは、この電極と当接する導電部材を備えている。
【０００３】
このようなポータブルコンピュータの筐体の内面には、銅メッキなどによるシールド層が形成されている。このシールド層は、筐体内部の回路部品等から発生する電磁波が筐体を透過して外部に漏洩したり、逆に外部からの電磁波が筐体内部の回路部品に悪影響を及ぼしたりすることを防止している。
【０００４】
前述の導電部材は、筐体の内部でこのシールド層と電気的に接続されている。導電部材は、外部機器のアース用の電極と当接することで、ポータブルコンピュータのシールド層の電位と、外部機器の電極の電位とを同等にする。
【０００５】
導電部材は、安定してシールド層と接触することが求められる。このため、導電部材には、金属製の板ばねが用いられる。このような板ばねは、簡単に筐体に取り付けられることが望ましい。
【０００６】
特許文献１に開示されるアースバネ取付構造では、導電体に、球状突起と、楔状に隆起した部分とが設けられている。アースバネには、前記の球状突起および隆起した部分にそれぞれ対応する２つの孔が設けられている。アースバネの弾性を利用して、球状突起および隆起した部分にアースバネの２つの孔をそれぞれ嵌合させることにより、アースバネが導電体に取り付けられる。これにより、ねじ止めのような二次加工が不要となり、簡単にアースバネを導電体に取り付けることができる。
【０００７】
一方、前述のように、ポータブルコンピュータの導電部材は、外部機器の電極が当接する。このような外力を受ける導電部材は、所定の位置からずれたり外れたりすることを防ぐため、筐体に強固に取り付けられることが望ましい。
【０００８】
導電部材を筐体に強固に取り付けるため、導電部材に位置決め用の孔を設けるとともに、当該孔に通される位置決め用のピンを筐体に設けることがある。このピンを溶かして、導電部材と筐体とを溶着させることが行なわれている。
【先行技術文献】
【特許文献】
【０００９】
【特許文献１】特開平８−２９３３３５号公報
【発明の概要】
【発明が解決しようとする課題】
【００１０】
位置決め用のピンを溶かして導電部材と筐体とを溶着させると、導電部材を筐体に強固に取り付けることができる。しかし、ピンを溶かすための加工工程が必要であるため、加工に必要な時間およびコストが増加する。
【００１１】
一方、ポータブルコンピュータは、廃棄されると、部品に含まれる金属などの資源を回収するために分解される。しかし、位置決め用のピンを溶かして導電部材を筐体に溶着させていると、合成樹脂製の筐体から金属製の導電部材を取り外しにくくなる。
【００１２】
導電部材の着脱を容易にするため、特許文献１のアースバネ取付構造を採用することも考えられる。しかし、特許文献１は、対向する一対の導電体の間を電気的に接続するためのアースバネを、導電体に取り付ける構造を開示しており、筐体の外部に露出する部分を有する導電部材を想定しているものではない。
【００１３】
さらに、前述した外部機器の電極と当接する導電部材は、筐体の外部に露出される部分と、筐体の内部でシールド層と電気的に接続される部分とを有している。筐体の外部に露出される部分は美観のために短く形成され、筐体の内部でシールド層と接続される部分はシールド層との密着性確保のために長く形成されている。特許文献１のアースバネ取付構造は、このような形状の導電部材を想定しているものでもない。したがって、外部機器の電極と当接する導電部材に、特許文献１のアースバネ取付構造をそのまま適用するのは困難である。
【００１４】
本発明の目的は、アース用の導電部材を簡単に着脱できる取付部を備えた電子機器を提供することである。
【課題を解決するための手段】
【００１５】
上記目的を達成するための本発明の一つの形態に係る電子機器は、  
内面に第１導電部が設けられた壁部を有する筐体と、前記壁部に設けられ、前記筐体の外に開口された第１開口部と第２開口部と、を含む取付部と、前記筐体内側に突出された第１突出部と、前記第１開口部と前記第１突出部との間に位置して前記筐体内側に突出され、前記第１導電部に電気的に接続された第２導電部が設けられた第２突出部と、前記筐体外を通って前記取付部に取り付けられ、前記筐体外に露出された露出部と、前記第１開口部に挿入され前記第２突出部の前記第２の導電層に弾性的に当接された第１部分と、前記第２開口部に挿入された第２部分と、を有した弾性を有する導電部材と、を具備する。
【発明の効果】
【００１６】
本発明の電子機器によれば、アース用の導電部材を、取付部に簡単に取り付けることができるとともに、取付部から簡単に取り外すことができる。
【図面の簡単な説明】
【００１７】
【図１】本発明の一つの実施の形態に係るポータブルコンピュータおよびポートリプリケータの斜視図。
【図２】図１のポータブルコンピュータを下方向から見た平面図。
【図３】図１のコンピュータ本体を内側から示す斜視図。
【図４】図１のコンピュータ本体を内側から示す平面図。
【図５】図３の取付部からアースバネを取り外して示す斜視図。
【図６】図４のＦ６−Ｆ６線に沿って示す断面図。
【図７】図３のアースバネを示す側面図。
【図８】図６のアースバネの取付方法を示す断面図。
【図９】図４のリアカバーの内面にシートを貼り付けた状態を示す平面図。
【発明を実施するための形態】
【００１８】
以下に、本発明の一つの実施の形態を図１ないし図９に基づいて説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１９】
図１は、ポータブルコンピュータ１およびポートリプリケータ２を示している。ポータブルコンピュータ１は、電子機器の一例である。ポートリプリケータ２は、外部機器の一例である。図１に示すように、ポータブルコンピュータ１は、コンピュータ本体１０と、ディスプレイユニット１１とを有している。
【００２０】
コンピュータ本体１０は、偏平な箱状のメイン筐体１３を備えている。メイン筐体１３は、筐体の一例である。メイン筐体１３は、リアカバー１５と、リアカバー１５に上方向から重ねられるトップカバー１６とを有している。リアカバー１５は、外壁の一例である。トップカバー１６の上面に、キーボード取付部１８が設けられている。キーボード取付部１８に、キーボード１９が支持されている。
【００２１】
ディスプレイユニット１１は、コンピュータ本体１０の後端に一対のヒンジ部２１を介して連結されている。ディスプレイユニット１１は、ヒンジ部２１を支点として、コンピュータ本体１０の上に横たわる閉じ位置と、コンピュータ本体１０の後端から起立する開き位置との間で回動可能となっている。
【００２２】
ディスプレイユニット１１は、偏平な箱状のディスプレイ筐体２３と、ディスプレイ筐体２３に収容されたディスプレイモジュール２４とを備えている。ディスプレイモジュール２４は、例えば液晶ディスプレイである。ディスプレイ筐体２３の前面にディスプレイ開口部２３ａが設けられている。ディスプレイ開口部２３ａは、ディスプレイモジュール２４のスクリーン２４ａをディスプレイユニット１１の外に露出させる。
【００２３】
図１に示すポートリプリケータ２は、ポータブルコンピュータ１が接続される機能拡張用の外部機器である。ポートリプリケータ２は、載置面３０と、プラグ３１と、一対のイジェクトピン３２と、一対のアース用電極３３とを有している。イジェクトピン３２は、押出部の一例である。
【００２４】
載置面３０は、メイン筐体１３のリアカバー１５と対向している。載置面３０は、ポートリプリケータ２にポータブルコンピュータ１が接続されると、メイン筐体１３を支持する。
【００２５】
プラグ３１と、一対のイジェクトピン３２と、一対のアース用電極３３とは、それぞれ載置面３０から突出している。プラグ３１は、ポータブルコンピュータ１とポートリプリケータ２を接続するための端子である。
【００２６】
一対のイジェクトピン３２は、ポートリプリケータ２の内部に沈み込むことが可能である。イジェクトピン３２は、ポートリプリケータ２にポータブルコンピュータ１が接続されると、コンピュータ本体１０に押されて沈み込む。イジェクトピン３２は、ポータブルコンピュータ１をポートリプリケータ２から取り外す際に、ユーザの操作によってメイン筐体１３を載置面３０から押し上げる。
【００２７】
一対のアース用電極３３は、ポートリプリケータ２の内部に沈み込むことが可能である。アース用電極３３は、ポートリプリケータ２にポータブルコンピュータ１が接続されると、コンピュータ本体１０に押されて沈み込む。アース用電極３３は、ポートリプリケータ２の内部に設けられた配線と電気的に接続されている。
【００２８】
図２は、ポータブルコンピュータ１を下方向から示している。図２に示すように、リアカバー１５の底面１５ａには、ソケット３５と、一対の凸部３６とが設けられている。さらに、リアカバー１５の底面１５ａには、一対の開口部３７がリアカバー１５の外に開口されている。
【００２９】
ソケット３５は、ポートリプリケータ２のプラグ３１に対応する位置に設けられている。ソケット３５にプラグ３１が挿入されることにより、ポータブルコンピュータ１とポートリプリケータ２が電気的に接続される。
【００３０】
一対の凸部３６は、ポートリプリケータ２の一対のイジェクトピン３２にそれぞれ対応する位置に設けられている。凸部３６は、リアカバー１５の外に向かって突出している。凸部３６は、ポータブルコンピュータ１がポートリプリケータ２に接続されると、ポートリプリケータ２のイジェクトピン３２を受ける。
【００３１】
一対の開口部３７は、ポートリプリケータ２の一対のアース用電極３３にそれぞれ対応する位置に設けられている。一対の開口部３７からそれぞれアースバネ４０が露出している。アースバネ４０は、導電部材の一例であり、弾性を有している。
【００３２】
図３および図４は、コンピュータ本体１０を内側から示している。図３に示すように、リアカバー１５の内面１５ｂには、銅メッキなどによる第１の導電層４２が設けられている。
【００３３】
第１の導電層４２は、メイン筐体１３の内部の回路部品等から発生する電磁波がメイン筐体１３を透過して外部に漏洩したり、逆に外部からの電磁波がメイン筐体１３の内部の回路部品に悪影響を及ぼしたりすることを防止している。
【００３４】
リアカバー１５の内面１５ｂには、アースバネ４０が取り付けられた取付部４３が設けられている。取付部４３は、リアカバー１５の内面１５ｂから沈み込んで形成されている。取付部４３は、前述した開口部３７と、架設部４４と、平坦な当接面４５とを含んでいる。架設部４４は、開口部の対向する縁部に亘る部分の一例である。
【００３５】
図５は、取付部４３からアースバネ４０を取り外した状態を示している。図５に示すように、架設部４４は、開口部３７を定めるリアカバー１５の一方の側縁１５ｃから、他方の側縁１５ｄに亘って架け渡されている。他方の側縁１５ｄは、一方の側縁１５ｃの反対側に位置する。一方の側縁１５ｃおよび他方の側縁１５ｄは、開口部の対向する縁部の一例である。
【００３６】
図６は、図４のＦ６−Ｆ６線に沿ってアースバネ４０および取付部４３を示している。図６に示すように、架設部４４は、外向面４４ａを有している。外向面４４ａは、メイン筐体１３の外に向いている。外向面４４ａは、リアカバー１５の底面１５ａからメイン筐体１３の内側に入り込んだ位置に設けられている。
【００３７】
図５に示すように、取付部４３には、第１の突出部４７と、第２の突出部４８と、位置決めピン４９とが設けられている。位置決めピン４９は、突起の一例である。第１の突出部４７と、第２の突出部４８と、位置決めピン４９とは、それぞれ取付部４３の当接面４５から突出されている。
【００３８】
第１の突出部４７は、開口部３７から離れた位置に設けられている。第１の突出部４７は、メイン筐体１３の内部に向かった頂部５１を有している。頂部５１は、リアカバー１５の内面１５ｂと同一平面上に連続している。図６に示すように、開口部３７は、この第１の突出部４７と、リアカバー１５の底面１５ａに設けられた凸部３６との間に位置している。
【００３９】
図５に示すように、第２の突出部４８は、開口部３７と第１の突出部４７との間に位置している。第２の突出部４８の表面には、第２の導電層５２が設けられている。第２の導電層５２は、第１の導電層４２から連続しており、第１の導電層４２に電気的に接続されている。
【００４０】
位置決めピン４９は、開口部３７と第２の突出部４８との間に位置している。位置決めピン４９は、図５に示すような十字形状に限らない。位置決めピン４９は、例えば円柱状や、角柱状のような、他の形状であっても良い。
【００４１】
図５に示すように、開口部３７は、架設部４４によって、第１の孔部３７ａと、第２の孔部３７ｂとに区画されている。第１の孔部３７ａは、第２の孔部３７ｂよりも、位置決めピン４９の近くに定められている。
【００４２】
図６に示すように、架設部４４に第１の傾斜部４４ｂが設けられている。第１の傾斜部４４ｂは、架設部４４の第１の孔部３７ａ方向の端部に設けられている。第１の傾斜部４４ｂは、メイン筐体１３の外に向かって第１の孔部３７ａが拡がるように形成されている。
【００４３】
取付部４３に、第２の傾斜部４３ａが設けられている。第２の傾斜部４３ａは、第２の孔部３７ｂを定める取付部４３の縁部に設けられている。第２の傾斜部４３ａは、メイン筐体１３の内部に向かって第２の孔部３７ｂが拡がるように形成されている。
【００４４】
図４に示すように、リアカバー１５の内面１５ｂに位置決めリブ５３が設けられている。位置決めリブ５３は、開口部３７の周囲に位置しており、リアカバー１５の内面１５ｂから突出している。
【００４５】
図７は、アースバネ４０を側方から示している。アースバネ４０は、露出部５５と、第１の部分５６と、第２の部分５７とを備えている。露出部５５および第２の部分５７は、協働して短部の一例として機能する。第１の部分５６は、長部の一例である。
【００４６】
図６に示すように、露出部５５は、開口部３７に嵌り込んでいる。露出部５５は、第１の曲げ部６１と、第２の曲げ部６２とを有している。第１の曲げ部６１は、第１の孔部３７ａを通ってメイン筐体１３の内部と外部との間に亘って設けられている。第２の曲げ部６２は、第２の孔部３７ｂを通ってメイン筐体１３の内部と外部との間に亘って設けられている。
【００４７】
露出部５５は、架設部４４の外を通ってメイン筐体１３の外に露出されている。露出部５５は、架設部４４の外向面４４ａに当接している。露出部５５は、ポータブルコンピュータ１がポートリプリケータ２に接続されると、ポートリプリケータ２のアース用電極３３を受ける。
【００４８】
第１の部分５６は、露出部５５の第１の曲げ部６１から第１の突出部４７に向かって延びる略矩形状に形成されている。第１の部分５６は、露出部５５と第２の部分５７とを合わせた長さよりも長く延びている。
【００４９】
第１の部分５６は、第２の突出部４８の表面に形成された第２の導電層５２に弾性的に当接されている。第１の部分５６が第２の導電層５２に当接されると、アースバネ４０は、第２の導電層５２を介して第１の導電層４２と電気的に接続される。
【００５０】
図４に示すように、第２の突出部４８は、第１の部分５６の長手方向と交差する方向に延ばされている。このため、第１の部分５６は、第２の突出部４８の表面に形成された第２の導電層５２に線接触する。
【００５１】
図７に示すように、第１の部分５６は、アースバネ４０が取付部４３から外された自由状態では、取付部４３の当接面４５の方向に曲げられている。ここで自由状態とは、アースバネ４０が外力によって変形していない状態である。
【００５２】
第１の部分５６は、先端部６４を有している。先端部６４は、第１の突出部４７に向かっており、当接面４５から遠ざかる方向に曲げられている。図６に示すように、先端部６４は、頂部５１と当接面４５との間で第１の突出部４７に当接している。
【００５３】
図３に示すように、第１の部分５６に、位置決め孔６５が設けられている。位置決め孔６５は、孔の一例である。位置決め孔６５は、取付部４３の位置決めピン４９に対応した位置に設けられている。位置決め孔６５に、位置決めピン４９が挿通される。
【００５４】
位置決め孔６５は、第１の部分５６の長手方向に沿う長孔形状に形成されている。位置決め孔６５は、アースバネ４０が取付部４３に取り付けられている状態で、位置決めピン４９が設けられた位置から開口部３７の方向に向かって延びている。
【００５５】
図６に示すように、位置決め孔６５の孔縁６５ａは、位置決めピン４９に当接している。このため、第１の部分５６は、第１の突出部４７と位置決めピン４９とによって挟持されている。
【００５６】
第２の部分５７は、露出部５５の第２の曲げ部６２から、第１の部分５６の反対方向に延びている。第２の部分５７は、取付部４３の当接面４５に当接されている。言い換えると、図６に示すように、第２の部分５７は当接面４５に引っ掛かっている。
【００５７】
図８は、アースバネ４０の取付方法を示している。アースバネ４０は、例えば次のように取付部４３に取り付けられる。  
まず、アースバネ４０は、図８の矢印Ａで示す方向に向かって、開口部３７の第１の孔部３７ａに通される。矢印Ａは、第１の孔部３７ａを通って、メイン筐体１３の内部から外に出る方向を示している。これにより、アースバネ４０の露出部５５および第２の部分５７は、図８の二点鎖線で示す位置Ｂまで移動する。位置Ｂは、露出部５５および第２の部分５７が、第１の孔部３７ａを通ってメイン筐体１３の外に出された位置である。
【００５８】
アースバネ４０は、図８の矢印Ｃで示す方向に向かって回転させられ、図８の実線で示す位置Ｄまで移動する。矢印Ｃは、第１の孔部３７ａを軸とする回転方向であって、第１の部分５６がリアカバー１５の内面１５ｂに近寄るとともに、第２の部分５７が底面１５ａに近寄る方向を示している。位置Ｄにおいて、第１の部分５６の位置決め孔６５に、取付部４３の位置決めピン４９が挿通する。さらに、第１の部分５６は、第１の突出部４７の頂部５１に当接する。
【００５９】
アースバネ４０の第２の部分５７は、図８の矢印Ｅで示す方向に向かって押し上げられる。同時に、アースバネ４０は、第１の部分５６が第１の突出部４７の頂部５１をスライドするように、図８の矢印Ｆで示す方向に向かって押される。矢印Ｅは、開口部３７の第２の孔部３７ｂを通って、メイン筐体１３の外から内部に入る方向を示している。矢印Ｆは、第１の突出部４７の頂部５１から、第１の孔部３７ａに向かう方向を示している。
【００６０】
第２の部分５７が矢印Ｅ方向に押し上げられながら、アースバネ４０が矢印Ｆ方向に押されると、第２の部分５７が取付部４３の当接面４５に引っ掛かる。同時に、第１の部分５６が、弾性力によって第２の突出部４８に当接する。これにより、アースバネ４０は、図６に示すように取付部４３に取り付けられる。
【００６１】
アースバネ４０を取り外す場合は、第１の部分５６の先端部６４を例えばピンセットで摘み、図８の矢印Ｆの反対方向に引っ張る。これにより、第１の部分５６は第１の突出部４７に乗り上げ、第２の部分５７は第２の孔部３７ｂからメイン筐体１３の外に出る。すなわち、アースバネ４０は図８に示す位置Ｄに移動し、取付部４３から外れる。
【００６２】
前記構成のポータブルコンピュータ１によれば、上述した取付方法によって、アースバネ４０が取付部４３に取り付けられる。これにより、ねじ止めや溶着のような二次加工を行なうことなく、アースバネ４０を取付部４３に簡単に取り付けることができる。
【００６３】
さらに、アースバネ４０を取付部４３から取り外す際に、ねじの取り外しや溶着部分の削り取りが不要になる。これにより、アースバネ４０を取付部４３から簡単に取り外すことができる。
【００６４】
アースバネ４０が取付部４３に取り付けられると、第１の部分５６は第２の突出部４８の表面に形成された第２の導電層５２に弾性的に当接され、露出部５５は架設部４４の外向面４４ａに当接する。さらに、位置決め孔６５には位置決めピン４９が挿通され、第１の部分５６は第１の突出部４７と位置決めピン４９とによって挟持される。これにより、アースバネ４０は取付部４３に強固に取り付けられる。
【００６５】
第１の部分５６は、自由状態では、取付部４３の当接面４５の方向に曲げられている。これにより、第１の部分５６は、第２の突出部４８の表面に形成された第２の導電層５２に強く当接される。
【００６６】
第１の部分５６の先端部６４は、当接面４５から遠ざかる方向に曲げられている。これにより、アースバネ４０を取付部４３から取り外す際に、ピンセットのような器具で先端部６４を摘みやすくなる。さらに、アースバネ４０を取付部４３に取り付ける際に、第１の突出部４７の頂部５１をスライドさせやすくなる。
【００６７】
第１の部分５６は、第２の突出部４８の表面に形成された第２の導電層５２に線接触している。これにより、第１の部分５６は、安定して第２の導電層５２に当接することができ、アースバネ４０と第１の導電層４２との間の電気的接続も安定する。
【００６８】
架設部４４に第１の傾斜部４４ｂが設けられ、取付部４３に第２の傾斜部４３ａが設けられている。これにより、アースバネ４０を開口部３７の第１の孔部３７ａに通しやすくなるとともに、第２の部分５７を取付部４３の当接面４５に引っ掛かけやすくなる。
【００６９】
以上、アースバネ４０を備えたポータブルコンピュータ１について説明したが、同一の形状のメイン筐体１３を有するポータブルコンピュータ１であっても、ポートリプリケータ２に非対応である場合がある。この場合、アースバネ４０が取付部４３に取り付けられる代わりに、目隠し用のシート６８がリアカバー１５の内面１５ｂに貼り付けられる。
【００７０】
図９は、シート６８が貼り付けられたリアカバー１５の内面１５ｂを示している。図９に示すように、リアカバー１５の内面１５ｂに貼付領域６９が定められている。貼付領域６９は、開口部３７の周囲に定められている。
【００７１】
位置決めリブ５３は、貼付領域６９に面したガイド面５３ａを有している。図４に示すように、ガイド面５３ａは、位置決めピン４９の外周と同一直線状に位置されている。図９に示すように、ガイド面５３ａと位置決めピン４９は、協働して貼付領域６９の端部を定めている。
【００７２】
シート６８は、貼付領域６９に貼り付けられる。具体的に述べると、シート６８は、例えば両面テープにより、リアカバー１５の内面１５ｂに貼り付けられる。これにより、シート６８は、リアカバー１５の内部から開口部３７を覆う。
【００７３】
シート６８を貼付領域６９に貼り付けることによって、アースバネ４０が不要な場合であっても、メイン筐体１３の内部を隠すことができる。さらに、ガイド面５３ａを位置決めピン４９の外周と同一直線状に位置させることにより、位置決めピン４９をシート６８の位置決めに用いることができる。
【００７４】
なお、本発明は上記実施の形態に特定されるものではなく、発明の趣旨を逸脱しない範囲内で種々変更して実施可能である。例えば、上記実施の形態では、第１の部分５６が第１の突出部４７と位置決めピン４９とによって挟持され、アースバネ４０が取付部４３に取り付けられる。これに限らず、露出部５５の第２の曲げ部６２が開口部３７の縁に当接することにより、アースバネ４０が取付部４３に取り付けられても良い。
【００７５】
以下に、特願２００９−２９５６３４の出願時に記載された発明の内容を付記する。
【００７６】
[１]内面に第１の導電層が設けられた外壁を有する筐体と、
前記外壁の内面に設けられ、前記外壁の外に開口された開口部と、前記開口部に架け渡された架設部と、を含む取付部と、
前記取付部から突出されて前記開口部から離れた位置に設けられた第１の突出部と、
前記取付部から突出されて前記開口部と前記第１の突出部との間に位置されるとともに、前記第１の導電層に電気的に接続された第２の導電層が設けられた第２の突出部と、
前記取付部に取り付けられた弾性を有する導電部材と、を具備し、
前記導電部材は、
前記開口部に嵌り込むとともに、前記架設部の外を通って前記筐体の外に露出された露出部と、
前記露出部から前記第１の突出部に向かって延びるとともに、前記第２の突出部の前記第２の導電層に弾性的に当接された第１の部分と、
前記露出部から前記第１の部分の反対方向に延びるとともに、前記取付部に当接された第２の部分と、を備えたことを特徴とする電子機器。
【００７７】
[２]前記導電部材の前記第１の部分に孔が設けられ、
前記取付部は、前記孔に挿通される突起を有していることを特徴とする[１]に記載の電子機器。
【００７８】
[３]前記孔は、前記導電部材の前記第１の部分の長手方向に沿う長孔形状に形成されたことを特徴とする[２]に記載の電子機器。
【００７９】
[４]前記導電部材の前記第１の部分は、前記導電部材が前記取付部から外された自由状態では前記取付部の方向に曲げられていることを特徴とする[１]に記載の電子機器。
【００８０】
[５]前記導電部材の前記第１の部分は、前記第１の突出部に向かう先端部を有し、
前記先端部は、前記取付部から遠ざかる方向に曲げられたことを特徴とする[１]に記載の電子機器。
【００８１】
[６]前記第１の突出部は、前記筐体の内部に向かった頂部を有し、
前記第１の部分の先端部は、前記頂部と前記取付部との間で前記第１の突出部に当接していることを特徴とする[５]に記載の電子機器。
【００８２】
[７]前記第２の突出部は、前記導電部材の前記第１の部分の長手方向と交差する方向に延ばされたことを特徴とする[１]に記載の電子機器。
【００８３】
[８]前記外壁の外部に設けられるとともに、前記筐体が取り付けられる外部機器の押出部を受ける凸部をさらに具備し、
前記開口部は、前記第１の突出部と前記凸部との間に位置されていることを特徴とする[１]に記載の電子機器。
【００８４】
[９]前記外壁の内部において前記開口部の周囲に定められるとともに、前記外壁の内部から前記開口部を覆うシートが貼り付けられる貼付領域と、
前記外壁の内部に設けられるとともに、前記貼付領域に面したガイド面を有する位置決めリブと、をさらに具備し、
前記位置決めリブのガイド面は、前記突起と同一直線状に位置されていることを特徴とする[２]に記載の電子機器。
【００８５】
[１０]内面に第１の導電層が設けられた外壁を有する筐体と、
前記外壁の内面に設けられ、前記外壁の外に開口された開口部と、前記開口部の対向する縁部に亘る部分と、を含む取付部と、
前記取付部から突出されて前記開口部から離れた位置に設けられた第１の突出部と、
前記取付部から突出されて前記開口部と前記第１の突出部との間に位置されるとともに、前記第１の導電層に電気的に接続された第２の導電層が設けられた第２の突出部と、
前記架設部の外を通って前記取付部に引っ掛かるとともに前記開口部から前記筐体の外に露出された短部と、前記露出部から前記第１の突出部に向かって前記短部よりも長く延びるとともに前記第２の突出部の前記第２の導電層に弾性的に当接された長部と、を有して前記取付部に取り付けられた弾性を有する導電部材と、
を具備したことを特徴とする電子機器。
【符号の説明】
【００８６】
１…ポータブルコンピュータ，１３…メイン筐体，１５…リアカバー，１５ｂ…内面，３７…開口部，４０…アースバネ，４２…第１の導電層，４３…取付部，４４…架設部，４７…第１の突出部，４８…第２の突出部，５２…第２の導電層，５５…露出部，５６…第１の部分，５７…第２の部分。
【図１】
2011138766.tif 000003
【図２】
2011138766.tif 000004
【図３】
2011138766.tif 000005
【図４】
2011138766.tif 000006
【図５】
2011138766.tif 000007
【図６】
2011138766.tif 000008
【図７】
2011138766.tif 000009
【図８】
2011138766.tif 000010
【図９】
2011138766.tif 000011